(57)【特許請求の範囲】
【請求項１】
家具又は建造物の開口部を開閉する左右一対の引戸を備え、これら一対の引戸が戸閉止状態では左右に隣接するとともに相互に面一状態となり、戸開放状態では前後に引き違い状態となるフラット引戸装置において、
左引戸の後面左端上部又は後面左端下部の少なくとも一方と、これと対称的に右引戸の後面右端上部又は後面右端下部の少なくとも一方とにそれぞれ設けられるブラケットと、
矩形状の走行プレート、この走行プレートの両側縁からそれぞれ立ち上げられたローラ支持部、これらローラ支持部の外面側にそれぞれ一対ずつ枢着された主転動ローラを有する、前記ブラケットと同個数のランナーと、
このランナーの前記走行プレートの下面側に前記ブラケットをそれぞれ揺動可能に連結する平行リンクと、
この平行リンクの一方のリンクアームに基端部が設けられるとともに先端部に従動ローラが設けられたガイドレバーと、
前記開口部の開口幅と略同じ長さを有し、前記ランナーの幅寸法より僅かに大きい幅寸法を有する基盤部と、この基盤部の両側縁から垂設された一対の側板部と、これら各側板部から相互に対峙するよう延設されたレール部とから構成され、前記開口部に設けられて、前記ランナーをその主転動ローラを介して支持しつつランナーを前記開口部の開口面と平行に走行させる走行レールと、
この走行レールの前記基盤部の下面に垂設され、各引戸における前記面一状態と前記引き違い状態との間の変移動作及び前記引き違い状態での両引戸間の離隔間隔を制御すべく、前記ガイドレバーの従動ローラと係合して該従動ローラを所定の軌道に沿って走行させるカムレールと、
先端部に副転動ローラを有し、左右各引戸の後面に前記ブラケットがそれぞれ一つずつ設けられる場合に左右各引戸の後面に前記ブラケットと上下対称の位置関係となるように設けられる支持アームと、
この支持アームが設けられる場合に前記開口部に設けられ、前記従動ローラの走行軌跡に対応する軌道に沿って前記副転動ローラを走行させるガイドレールと、を備え、
前記ガイドレバーにはその略中央部に起立部が形成される一方、前記ランナーの走行プレートには該ガイドレバーの起立部が挿通されるとともに該ガイドレバーの揺動を許容する円弧状のスリットが開設され、該ガイドレバーの起立部から基端部側が前記平行リンクと同様にランナーの走行プレートの下面側に配される一方、起立部から先端部側が走行プレートの上面側に配された、フラット引戸装置。
【請求項２】
前記戸閉止状態にあるとき前記ガイドレバーをロックするガイドレバーロック手段を備えた請求項１に記載のフラット引戸装置。
【請求項３】
前記一対の引戸は、前記面一状態において衝合する側の端面が、それぞれ前記開口部の内方に臨む傾斜面とされた請求項２又は３に記載のフラット引戸装置。
【発明の詳細な説明】
【技術分野】
【０００１】
本発明は、家具又は建造物の開口部を開閉する左右一対の引戸を備え、これら一対の引戸が戸閉止状態では左右に隣接するとともに相互に面一状態となり、戸開放状態では前後に引き違い状態となるフラット引戸装置に関する。
【背景技術】
【０００２】
左右の引戸が戸閉止状態では隣接して相互に面一状態となり、戸開放状態では前後に引き違い状態となる、いわゆるフラット引戸装置が、これまで多数提案されている（特許文献１〜１３参照）。
【０００３】
これら従来のフラット引戸装置の基本的な構造についてみると、左右一対の引戸は、それぞれ戸本体とランナーとからなり、引戸によって開閉される空間の天井部と底部の何れか一方若しくは両方に設けられた走行レールを前記ランナーが走行することによって、ランナーと連結された戸本体が一体に移動するようにしており、一対の引戸のうち少なくとも一方の引戸は、戸本体とランナーとをリンクアーム手段によって連結することで、戸本体がランナーに対して他方の戸本体と面一となる戸閉止状態と前記他方の戸本体よりも更に前方に押し出された戸開放状態との各状態間で変位移動ができるように構成している。
【特許文献１】特開昭５３−７１９７９号公報
【特許文献２】実公昭５４−３３５４１号公報
【特許文献３】実開昭５９−１０００７９号公報
【特許文献４】実公昭６１−１４５３７号公報
【特許文献５】実公昭６１−１５１６４号公報
【特許文献６】特開昭６２−５５３８７号公報
【特許文献７】特開平５−１３３１５７号公報
【特許文献８】特開平７−２６９２１７号公報
【特許文献９】特開平８−４９４６５号公報
【特許文献１０】特開２００２−１３８７４０号公報
【特許文献１１】特開２００３−５６２４３号公報
【特許文献１２】特開２００３−１３８８３４号公報
【特許文献１３】特開２００３−１９３７３８号公報
【発明の開示】
【発明が解決しようとする課題】
【０００４】
しかしながら、上記従来のフラット引戸装置は、いずれも、主たる構成部材である走行レール、ランナー及びリンクアーム手段の構造がそれぞれ複雑でしかも部品点数も多いため、製作コストが嵩むだけでなく、家具や建造物の開口部への取り付けが極めて煩雑であるといった問題があった。
【０００５】
本発明は上記従来の問題点を解決すべく創案されたものであり、上記した主たる構成部材をシンプルな構造として部品点数及び製作コストの削減を図ることができるとともに、家具や建造物の開口部への取り付けが容易に行えるフラット引戸装置を提供することを目的としている。
【課題を解決するための手段】
【０００６】
上記課題を解決するため、本発明に係るフラット引戸装置は、家具又は建造物の開口部を開閉する左右一対の引戸を備え、これら一対の引戸が戸閉止状態では左右に隣接するとともに相互に面一状態となり、戸開放状態では前後に引き違い状態となるフラット引戸装置において、左引戸の後面左端上部又は後面左端下部の少なくとも一方と、これと対称的に右引戸の後面右端上部又は後面右端下部の少なくとも一方とにそれぞれ設けられるブラケットと、矩形状の走行プレート、この走行プレートの両側縁からそれぞれ立ち上げられたローラ支持部、これらローラ支持部の外面側にそれぞれ一対ずつ枢着された主転動ローラを有する、前記ブラケットと同個数のランナーと、このランナーの前記走行プレートの下面側に前記ブラケットをそれぞれ揺動可能に連結する平行リンクと、この平行リンクの一方のリンクアームに基端部が設けられるとともに先端部に従動ローラが設けられたガイドレバーと、前記開口部の開口幅と略同じ長さを有し、前記ランナーの幅寸法より僅かに大きい幅寸法を有する基盤部と、この基盤部の両側縁から垂設された一対の側板部と、これら各側板部から相互に対峙するよう延設されたレール部とから構成され、前記開口部に設けられて、前記ランナーをその主転動ローラを介して支持しつつランナーを前記開口部の開口面と平行に走行させる走行レールと、この走行レールの前記基盤部の下面に垂設され、各引戸における前記面一状態と前記引き違い状態との間の変移動作及び前記引き違い状態での両引戸間の離隔間隔を制御すべく、前記ガイドレバーの従動ローラと係合して該従動ローラを所定の軌道に沿って走行させるカムレールと、先端部に副転動ローラを有し、左右各引戸の後面に前記ブラケットがそれぞれ一つずつ設けられる場合に左右各引戸の後面に前記ブラケットと上下対称の位置関係となるように設けられる支持アームと、この支持アームが設けられる場合に前記開口部に設けられ、前記従動ローラの走行軌跡に対応する軌道に沿って前記副転動ローラを走行させるガイドレールと、を備え、前記ガイドレバーにはその略中央部に起立部が形成される一方、前記ランナーの走行プレートには該ガイドレバーの起立部が挿通されるとともに該ガイドレバーの揺動を許容する円弧状のスリットが開設され、該ガイドレバーの起立部から基端部側が前記平行リンクと同様にランナーの走行プレートの下面側に配される一方、起立部から先端部側が走行プレートの上面側に配された、ことを特徴とするものである。
【０００７】
この特定事項により、走行レールを単純な直線形状のものとすることができ、ランナーも直線形状の走行レールを走行するだけであるので構成が簡素なものとなり、リンクアーム手段も単なる平行リンクでよい。さらに、引戸における面一状態と引き違い状態との間の変移動作及び引き違い状態での両引戸間の離隔間隔も、単純な形状のカムレールにガイドレバーの従動ローラを係合させて該従動ローラを所定の軌道に沿って走行させるだけで制御できる。したがって、各構成部材の構造がシンプルなものとなり、部品点数の削減及び製作コストの削減を図ることができる。
【０００８】
また、上記フラット引戸装置は、前記戸閉止状態にあるとき前記ガイドレバーをロックするガイドレバーロック手段を備えたものであってもよい。
【０００９】
この場合、ガイドレバーロック手段により各引戸を戸閉止状態に維持することができるので、引戸や開口部に、戸閉止状態において引戸を開口部にロックするための部材を設ける必要がなくなり、その分引戸及び開口部のデザイン設計自由度を高めることができる。
【００１０】
また、上記フラット引戸装置において、前記一対の引戸は、前記面一状態において衝合する側の端面が、それぞれ前記開口部の内方に臨む傾斜面とされたものでもよい。
【００１１】
この場合、引戸における面一状態と引き違い状態との間の変移動作が、引戸同士が干渉することなく円滑に行われることとなり、引戸同士の間隙を最小限に詰めることが可能となる。
【発明の効果】
【００１２】
本発明に係るフラット引戸装置は、主たる構成部材である走行レール、ランナー及びリンクアーム手段、並びに、引戸における面一状態と引き違い状態との間の変移動作及び引き違い状態での両引戸間の離隔間隔を制御する機構のいずれも、その構造がシンプルであるため、部品点数の削減及び製作コストの削減を図ることができるとともに、開口部への取り付け作業が従来のものに比べて格段に容易に行うことができる。
【発明を実施するための最良の形態】
【００１３】
以下、本発明の実施の形態について、図面を参照して説明する。
【００１４】
図１は、戸閉止状態におけるフラット引戸装置の左引戸側を示す切欠部分平面図、図２は、引戸の上部を含む、図１に示すII−II線矢視図、図３は、左引戸が面一状態から引き
違い状態への変移動作を完了する直前におけるフラット引戸装置の左引戸側を示す切欠部分平面図、図４は、引戸の上部を含む、図３に示すIV−IV線矢視図（但し、従動ローラの
手前に表れる主転動ローラの図示省略）、図５は左引戸の面一状態と引き違い状態との間の変移動作に伴う支持アームの動作を示す開口部の内側から見上げた図である。なお、本発明に係るフラット引戸装置は、左右対称であるため、ここでは左引戸側だけについて説明し、右引戸側についての説明は省略する。
【００１５】
このフラット引戸装置は、家具又は建造物の開口部Ａを開閉する左右一対の引戸１（図中の符号１Ｌは左引戸を、１Ｒは右引戸をそれぞれ示す）を備え、これら一対の引戸１が戸閉止状態では左右に隣接するとともに相互に面一状態となり、戸開放状態では前後に引き違い状態となるものであり、上記引戸１と、ブラケット２と、ランナー３と、平行リンク４と、ガイドレバー５と、走行レール６と、カムレール７と、支持アーム８と、ガイドレール９とを備えたものである。以下、これら各部について詳述する。
【００１６】
引戸１は、例えば衣装箪笥やキッチンキャビネットなどの家具の開口部、あるいはクローゼットや袋戸棚などの建造物の開口部を開閉するものであり、左右で一対とされ、相互に対称に形成されている。また、これら引戸１は、面一状態となった際に相互に衝合する側の端面が、それぞれ上記開口部の内方に臨む傾斜面１１とされており、これによって、引戸１における面一状態と引き違い状態との間の変移動作が、引戸１同士が干渉することなく円滑に行われることとなり、また引戸１同士の間隙を最小限に詰めることが可能となる。このようになる引戸１にはその適所に把手部（図示省略）が設けられる。この把手部の配設位置及び形態としては、各引戸１における面一状態と引き違い状態との間の変移動作及び引き違い状態での両引戸１のすれ違いに支障が生じない位置と形状が適宜選択される。例えば、引戸１の下端面に指掛け溝を設けたり、あるいは引戸１の前面に出没可能な把手金具を埋設したりすることが挙げられる。
【００１７】
ブラケット２は、上記した引戸１に取り付けられるものである。本実施形態では  左引戸１Ｌの後面左端下部と、これと対称的に右引戸１Ｒの後面右端下部とにそれぞれ設けられている（右引戸１Ｒ側は図示省略）。このブラケット２は、その幅寸法が平行リンク４の幅寸法（後述する一対のリンクアーム４１の離間寸法）よりもやや大きく、引戸１の下端面を受ける受片２１１及び引戸１の後面に添接される添接片２１２を備えた戸受アングル２１と、平行リンク４が取り付けられるリンク支持片２２１及び戸受アングル２１の添接片２１２と接合される接合片２２２を備えたリンク連結アングル２２とから構成されている。このようになるブラケット２は、上記した受片２１１、添接片２１２及び接合片２２２を介して、リベットやビス等（図示省略）により引戸１の上記した箇所に取り付けられている。
【００１８】
ランナー３は、走行レール６に沿って走行するものである。このランナー３は、矩形状の走行プレート３１と、この走行プレート３１の両側縁からそれぞれ立ち上げられたローラ支持部３２と、これらローラ支持部３２の外面側にそれぞれ一対ずつ枢着された主転動ローラ３３とから構成されている。上記走行プレート３１には、ガイドレバー５の起立部５４が挿通されるとともに該ガイドレバー５の揺動を許容する円弧状のスリット３４が開設されている。また、上記主転動ローラ３３のうち開口部Ａに面する側の主転動ローラ３３にはその転動面に溝３３１が設けられている。
【００１９】
平行リンク４は、上記ランナー３に前記ブラケット２を揺動可能に連結するものであり、ランナー３の走行プレート３１の下面側に配されている。この平行リンク４は、一対のリンクアーム４１を備え、各リンクアーム４１の基端部４２は、ランナー３の走行プレート３１の奥側（開口部Ａから遠い側）に枢着される一方、揺動端部４３はブラケット２のリンク連結アングル２２のリンク支持片２２１に枢着されている。尚、図中の符号４４は、リンクアーム４１の枢着個所に設けられたベアリング機構を示し、このベアリング機構４４によりリンクアーム４１の揺動動作が円滑に行われるように図られている。
【００２０】
ガイドレバー５は、後に詳述するカムレール７と係合してカムレール７による引戸１の制御作用を平行リンク４に伝達するものである。このガイドレバー５は、その基端部５１が平行リンク４の一方のリンクアーム４１（本実施形態では右引戸１Ｒ寄りに位置する側のリンクアーム４１）の基端部４２側の内側部に設けられるとともに、その先端部５２には、カムレール７と係合する従動ローラ５３が枢着されている。また、このガイドレバー５は、その略中央部に起立部５４が形成されるとともに、この起立部５４が前記ランナー３の走行プレート３１のスリット３４内に挿通され、この起立部５４から基端部５１側が平行リンク４と同様にランナー３の走行プレート３１の下面側に配される一方、起立部５４から先端部５２側が走行プレート３１の上面側に配されている。従動ローラ５３は、その外径が、後に詳述する走行レール６の側板部６２とカムレール７の直線部７２との間隔よりも僅かに小さいものとされている。さらに、本実施形態では、戸閉止状態にあるときガイドレバー５をロックするガイドレバーロック手段として、起立部５４と基端部５１との間に２箇所に亘って小径の係合孔５５が穿設されるとともに、これと対応してランナー３の走行プレート３１の下面にこれら係合孔５５とそれぞれ係合するロック部材５６が垂設されている。このロック部材５６としては、例えば係合孔５５と容易に係脱する小球とこの小球を外方（係合孔５５側）へ付勢するスプリングとがケース内に収容されてなる従来周知の係合フックを採用することができる。尚、このガイドレバーロック手段は上記したような形態のものに限定されず、例えばガイドレバー５の起立部５４を側縁側から弾性的に掴持する掴持部材をランナー３の走行プレート３１の下面適所に設けた形態のものであってもよい。また、従来周知のように、引戸１の後面適所に磁性材料からなるプレートを設ける一方、これと対応するマグネットを開口部Ａの適所に設け、これらマグネットとプレートの磁着により引戸１の戸閉止状態を維持するようにした場合は、上記したガイドレバーロック手段を省いてもよい。
【００２１】
走行レール６は、開口部Ａに設けられ、前記ランナー３をその主転動ローラ３３を介して支持しつつランナー３を開口部Ａの開口面と平行に走行させるものであり、本実施形態では開口部Ａの下縁側の外部に設けられている。この走行レール６は、開口部Ａの開口幅と略同じ長さを有し、前記ランナー３の幅寸法（対向する主転動ローラ３３の相互の外側面間の寸法）より僅かに大きい幅寸法を有する基盤部６１と、この基盤部６１の両側縁から垂設された一対の側板部６２と、これら各側板部６２から相互に対峙するよう延設されたレール部６３とから構成されている。側板部６２の高さ寸法は、前記ランナー３の主転動ローラ３３の外径よりもやや大きい寸法とされている。また、上記一対のレール部６３のうち、ランナー３の前記溝３３１を有する主転動ローラ３３と対応する側のレール部６３には、その主転動ローラ３３の溝３３１と合致する突条部６４が全長に亘って設けられており、これによりランナー３が走行時に進行方向と直交する方向にぶれないように図られている。
【００２２】
カムレール７は、各引戸１における面一状態と引き違い状態との間の変移動作及び引き違い状態での両引戸１間の離隔間隔を制御すべく、前記ガイドレバー５の従動ローラ５３と係合して従動ローラ５３を所定の軌道に沿って走行させるものであり、上記した走行レール６の基盤部６１の下面に垂設されている。このカムレール７は、その両端部がガイドレバー５の従動ローラ５３の回動軌跡に沿う曲線部７１に形成されており、これら曲線部７１の間は上記走行レール６の側板部６２と平行な直線部７２に形成されている。曲線部７１の長さは、引き違い状態での両引戸１間の離隔間隔が確保されるまでガイドレバー５の従動ローラ５３を介して平行リンク４のリンクアーム４１を揺動させるに足る長さとされている。
【００２３】
支持アーム８は、左右各引戸１の後面に前記ブラケット２と上下対称の位置関係となるように設けられるものである。この支持アーム８は、Ｌ字状の杆材８１と、その先端部に回動可能に設けられた副転動ローラ８２とから構成されている。
【００２４】
ガイドレール９は、前記ガイドレバー５の従動ローラ５３の走行軌跡に対応する軌道に沿って上記支持アーム８の副転動ローラ８２を走行させるものであり、本実施形態では開口部Ａの上縁側の内面に埋設されている。このガイドレール９は、その両端部が前記カムレール７と同様曲線部９１とされており、これら曲線部９１の間は前記走行レール６と平行な直線部９２とされている。
【００２５】
尚、上記実施形態では、各引戸１の下端部のみをブラケット２及び平行リンク４を介して走行レール６に支持させているが、開口部Ａの上縁側にも走行レール６を設けて上端部も下端部と同様に支持させてもよい。その場合は、上記した支持アーム８及びガイドレール９は不用となる。
【００２６】
また、上記実施形態では、走行レール６は開口部Ａの下縁側の外側に設けているが、開口部Ａの内側に設けてもよい。その場合は、走行レール６を、その天地はそのままに、平行リンク４が揺動し得るだけの隙間を走行レール６と開口部Ａの内側面との間に確保しつつ開口部Ａの内面に取り付ければよい。さらに、走行レール６を開口部Ａの上縁側の内面に設ける場合は、下縁側に設ける場合と天地を逆にすればよい。またさらに、走行レール６を開口部Ａの上縁側の外側に設ける場合は、上記した開口部Ａの内側に設ける場合と同様、走行レール６を、その天地はそのままに、平行リンク４が揺動し得るだけの隙間を走行レール６と開口部Ａの外面との間に確保しつつ開口部Ａの外面に取り付ければよい。以上要するに、開口部のＡの上縁、下縁、及び、内側、外側に拘らず、走行レール６の基盤部６１が外側になるように開口部Ａに取り付け、走行レール６内に異物が入らないようにするのが好ましい。
【００２７】
次に、上記したフラット引戸装置の動作について説明する。
【００２８】
両引戸１が戸閉止状態にあるとき、図１に示すように、ランナー３は走行レール６の最も端に位置し、平行リンク４は傾倒状態にある。また、これに伴ってガイドレバー５の従動ローラ５３はカムレール７の曲線部７１の始端に位置し、係合孔５５とロック部材５６とが係合状態にあってガイドレバー５はロック状態にあることから、両引戸１は外力が加わらない限り戸閉止状態から脱することはない。
【００２９】
この状態から引戸１（ここでは左引戸１Ｌ）を、その適所に設けられた把手部を持って手前に引くと、ガイドレバー５の係合孔５５とロック部材５６との係合が解除され、平行リンク４が傾倒状態から手前に起きてくるとともに、平行リンク４のリンクアーム４１と一体的にガイドレバー５が揺動し、ガイドレバー５の従動ローラ５３がカムレール７の曲線部７１に沿って転動する。このとき、引戸１の端面がそれぞれ開口部Ａの内方に臨む傾斜面１１とされていることから、引戸１同士が干渉することがない。
【００３０】
さらに引戸１を引き続けると、やがてガイドレバー５の従動ローラ５３がカムレール７の曲線部７１の終端に到達すると同時に直線部７２の始端に入る。これによって、左引戸１Ｌと右引戸１Ｒとは面一状態から引き違い状態への変移動作を完了したこととなる。ここでさらに引戸１を手前に引いても、ガイドレバー５の従動ローラ５３がカムレール７の直線部７２の始端に達していることから、この直線部７２によりガイドレバー５の揺動が阻止されることになり、平行リンク４の揺動動作はこの時点で停止し、引き違い状態が確定する。
【００３１】
引き違い状態が確定した状態で引戸１を右方向に引っ張ると、ランナー３が走行レール６に沿って走行し、引戸１はスムーズに移動する。このとき、ガイドレバー５の従動ローラ５３がカムレール７の直線部７２を転動し、これによって平行リンク４の姿勢が上記した引き違い状態確定時の姿勢を維持することになるため、引き違い状態での両引戸１間の離隔間隔が一定に保たれることになる。
【００３２】
再び戸閉止状態に戻す場合、引き違い状態にある引戸１を引き戻し、やがてガイドレバー５の従動ローラ５３がカムレール７の直線部７２から曲線部７１に達すると、上記した直線部７２によるガイドレバー５の揺動阻止が解除されることになり、平行リンク４は引戸１に加わる引き戻し方向の力を受ける形で傾倒する方向に揺動し、これに伴って引戸１は引き違い状態から面一状態へと変移する。そして引戸１を押さえると平行リンク４がさらに揺動し、やがてガイドレバー５の係合孔５５とロック部材５６とが係合してガイドレバー５がロックされ、これによって引戸１は戸閉止状態に戻るとともに戸閉止状態が維持される。
【産業上の利用可能性】
【００３３】
本発明に係るフラット引戸装置は、衣装箪笥やキッチンキャビネットなどの家具の開口部の開閉装置として、あるいはクローゼットや袋戸棚などの建造物の開口部を開閉する開閉装置として利用することができるものである。
【図面の簡単な説明】
【００３４】
【図１】本発明に係るフラット引戸装置の一実施形態を示し、戸閉止状態におけるフラット引戸装置の左引戸側を示す切欠部分平面図である。
【図２】引戸の上部を含む、図１に示すII−II線矢視図である。
【図３】左引戸が戸閉止状態から戸開放状態への変移動作を完了する寸前におけるフラット引戸装置の左引戸側を示す切欠部分平面図である。
【図４】引戸の上部を含む、図３に示すIV−IV線矢視図（但し、従動ローラの手前に表れる主転動ローラの図示省略）である。
【図５】左引戸の面一状態と引き違い状態との間の変移動作に伴う支持アームの動作を示す開口部の内側から見上げた図である。
【符号の説明】
【００３５】
１ 引戸
１Ｌ 左引戸
１Ｒ 右引戸
１１ 端面
２ ブラケット
３ ランナー
３１  走行プレート
３２ ローラ支持部
３３  主転動ローラ
４ 平行リンク
４１ リンクアーム
５ ガイドレバー
５１  基端部
５２  先端部
５３  従動ローラ
５４ 起立部
６ 走行レール
６１ 基盤部
６２ 側板部
６３ レール部
７ カムレール
８ 支持アーム
８２ 副転動ローラ
９ ガイドレール
【図１】
0004634335.tif 000002
【図２】
0004634335.tif 000003
【図３】
0004634335.tif 000004
【図４】
0004634335.tif 000005
【図５】
0004634335.tif 000006